(57)【特許請求の範囲】
【請求項１】
紙幣の挿入を受け付ける接客部と、
前記接客部により挿入が受け付けられた前記紙幣について計数を試みる認識部と、
前記認識部により計数された紙幣を保留する一時保留部と、
前記一時保留部による前記紙幣の保留が解除されると前記一時保留部により保留されていた前記紙幣を収納する収納部と、
を備え、
前記一時保留部は、紙幣を集積するためのステージの昇降動作に連動して、紙幣を通過させて移送することが可能な構成を有することを特徴とする、紙幣処理装置。
【請求項２】
前記一時保留部は、
前記紙幣を集積するためのステージと、
前記ステージと連動する所定の部材と、
をさらに備え、
前記所定の部材は、
前記ステージの上昇とともに紙幣を移送するために使用される搬送路を開くように動作し、前記ステージの下降とともに前記搬送路を塞ぐように動作することを特徴とする、請求項１に記載の紙幣処理装置。
【請求項３】
前記所定の部材は、
前記ステージの下降とともに紙幣と衝突することにより前記ステージに前記紙幣を集積させるように動作するストッパレバーとして構成されることを特徴とする、請求項２に記載の紙幣処理装置。
【請求項４】
前記一時保留部は、
前記紙幣を集積するためのステージ、
をさらに備え、
前記ステージは、
紙幣を移送するために使用される搬送路に前記紙幣を送り込むための搬送路を有していることを特徴とする、請求項１に記載の紙幣処理装置。
【請求項５】
前記一時保留部は、
紙幣と衝突することにより前記ステージに前記紙幣を集積させるビルストッパ、
をさらに備え、
前記ステージは、
下降とともに紙幣が前記ビルストッパに衝突することを妨げない位置に配置され、上昇とともに紙幣が前記ビルストッパに衝突することを妨げる位置に配置されることを特徴とする、請求項４に記載の紙幣処理装置。
【発明の詳細な説明】
【技術分野】
【０００１】
本発明は、紙幣処理装置に関するものである。より詳細には、紙幣処理装置が有する機能のうちで入金処理などにおいて一時的に紙幣を保留する機能に関するものである。
【背景技術】
【０００２】
近年、利用者からの紙幣の挿入を受け付けて収納する入金処理や利用者から指定された金額の紙幣を排出する出金処理を行う紙幣処理装置が銀行の店舗内などに設置されている。紙幣処理装置としては、例えば、現金自動預け払い機（ＡＴＭ：Ａｕｔｏｍａｔｅｄ  ｔｅｌｌｅｒ  ｍａｃｈｉｎｅ）などがある。紙幣処理装置の開発においては様々な工夫が施されてきており、例えば、紙幣処理装置において紙幣を送り出すためのゲートのオーバーラップ量を適正に調整するための技術などが開示されている（例えば、特許文献１参照）。
【先行技術文献】
【特許文献】
【０００３】
【特許文献１】特開２００８−１８４２６０号公報
【発明の概要】
【発明が解決しようとする課題】
【０００４】
しかしながら、上記した特許文献１に開示されている技術などにおいては、例えば、利用者が紙幣処理装置に対して入金を行う場合に紙幣が一時保留部を通過し、利用者が紙幣処理装置から出金を行う場合に紙幣が一時保留部を通過しないように構成されている。このため、紙幣処理装置内の搬送路に分岐が多くなり、各分岐箇所では複数の搬送路の切り替えが必要となるため、機構が複雑になっているという問題があった。
【０００５】
そこで、本発明は、上記問題に鑑みてなされたものであり、本発明の目的とするところは、紙幣処理装置内の搬送路の分岐を少なくし、搬送路を簡素化することが可能な技術を提供することにある。
【課題を解決するための手段】
【０００６】
上記問題を解決するために、本発明のある観点によれば、紙幣の挿入を受け付ける接客部と、上記接客部により挿入が受け付けられた上記紙幣について計数を試みる認識部と、上記認識部により計数された紙幣を保留する一時保留部と、上記一時保留部による上記紙幣の保留が解除されると上記一時保留部により保留されていた上記紙幣を収納する収納部と、を備え、上記一時保留部は、紙幣を集積するためのステージの昇降動作に連動して、紙幣を通過させて上記リジェクト集積部に対して移送することが可能な構成を有することを特徴とする、紙幣処理装置が提供される。
【０００７】
上記一時保留部は、上記紙幣を集積するためのステージと、上記ステージと連動する所定の部材と、をさらに備え、上記所定の部材は、上記ステージの上昇とともに紙幣を移送するために使用される搬送路を開くように動作し、上記ステージの下降とともに上記搬送路を塞ぐように動作することとしてもよい。
【０００８】
上記所定の部材は、上記ステージの下降とともに紙幣と衝突することにより上記ステージに上記紙幣を集積させるように動作するストッパレバーとして構成されることとしてもよい。
【０００９】
上記一時保留部は、上記紙幣を集積するためのステージ、をさらに備え、上記ステージは、紙幣を移送するために使用される搬送路に上記紙幣を送り込むための搬送路を有していることとしてもよい。
【００１０】
上記一時保留部は、紙幣と衝突することにより上記ステージに上記紙幣を集積させるビルストッパ、をさらに備え、上記ステージは、下降とともに紙幣が上記ビルストッパに衝突することを妨げない位置に配置され、上昇とともに紙幣が上記ビルストッパに衝突することを妨げる位置に配置されることとしてもよい。
【発明の効果】
【００１１】
以上説明したように本発明によれば、紙幣処理装置内の搬送路の分岐を少なくし、搬送路を簡素化することが可能となる。
【図面の簡単な説明】
【００１２】
【図１】一般的な紙幣処理装置の搬送路の模式図である。
【図２】一般的な紙幣処理装置における一時保留部の構成例を示す図である。
【図３】本発明の実施形態に係る紙幣処理装置の概略構成図を示す図である。
【図４】本発明の第１実施形態に係る紙幣処理装置における一時保留部の構成例を示す図である。
【図５】同実施形態に係る紙幣処理装置における一時保留部の構成例を示す図である。
【図６】同実施形態に係る紙幣処理装置が有する制御系の構成例を示す図である。
【図７】本発明の第２実施形態に係る紙幣処理装置における一時保留部の構成例を示す図である。
【図８】同実施形態に係る紙幣処理装置における一時保留部の構成例を示す図である。
【図９】本発明の第１実施形態および第２実施形態に係る紙幣処理装置の搬送路の模式図である。
【発明を実施するための形態】
【００１３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１４】
＜一般的な紙幣処理装置＞
まず、本実施形態に係る紙幣処理装置について説明する前に、一般的な紙幣処理装置について説明する。
【００１５】
［構成の説明］
図１は、一般的な紙幣処理装置の搬送路の模式図である。図１に示すように、一般的な紙幣処理装置９００は、利用者が紙幣を挿入したり受け取ったりするための接客部ａと、紙幣について計数を試みる認識部ｂと、利用者による計数結果の確認前において、認識部ｂによって計数された紙幣を一時的に保留する一時保留部ｃ’と、利用者による計数結果の確認後において、認識部ｂによって計数できなかった紙幣を収納するリジェクト集積部ｄと、一時保留部ｃ’による紙幣の保留が解除されると一時保留部ｃ’により保留されていた紙幣を収納する収納部ｅとを備えている。利用者が紙幣を挿入したり受け取ったりするために使用される接客部ａは、より具体的には、利用者からの紙幣の挿入を受け付ける機能や利用者に紙幣を排出する機能などを有する。また、複数の搬送路が合流する箇所は、搬送路切替機構ｆ１〜ｆ４を有している。
【００１６】
利用者が紙幣処理装置９００に対して入金を行う場合、接客部ａから挿入された紙幣は認識部ｂにより計数され、一時保留部ｃ’により保留される。このとき、認識部ｂにより計数できなかった紙幣は、接客部ａに戻され、利用者に返却される。一時保留部ｃ’による紙幣の保留後、利用者が計数結果を確認し、そのまま入金処理を続ける旨を示す指示が利用者により紙幣処理装置９００に入力された場合には、紙幣が一時保留部ｃ’から認識部ｂに移送され、認識部ｂにより正常であると判別された紙幣については収納部ｅに収納され、認識部ｂにより異常であると判別された紙幣についてはリジェクト集積部ｄに収納される。
【００１７】
利用者が紙幣処理装置９００から出金を行う場合、収納部ｅに収納されている紙幣は、一時保留部ｃ’では保留されずに、認識部ｂに直接移送され、認識部ｂにより計数された後、接客部ａに移送される。認識部ｂにより計数できなかった紙幣については、リジェクト集積部ｄに収納される。
【００１８】
図２は、一般的な紙幣処理装置９００における一時保留部ｃ’の構成例を示す図である。図２に示すように、利用者が紙幣処理装置９００に対して入金を行う場合、まず、一時保留部ｃ’は、保留動作時において、認識部ｂから搬送路９６０を介して移送された紙幣Ｍをフィードローラ９１０とゲートローラ９２０とで挟み込み、フィードローラ９１０とゲートローラ９２０とを回転させることにより紙幣Ｍをビルストッパ９５０に向けて放出する。放出された紙幣Ｍは、ビルストッパ９５０に衝突し、ステージ９４０上に集積される。紙幣Ｍがステージ９４０上に集積されている状態は、上記した例では、紙幣Ｍが一時保留部ｃ’に保留されている状態に相当する。
【００１９】
利用者が計数結果を確認し、そのまま入金処理を続ける旨を示す指示が利用者により紙幣処理装置９００に入力されると、一時保留部ｃ’は、ステージ９４０を上昇させて、紙幣Ｍをステージ９４０とピッカローラ９３０とで挟み込む。そして、一時保留部ｃ’は、ピッカローラ９３０を回転させることにより紙幣Ｍをフィードローラ９１０とゲートローラ９２０とにより構成される分離ゲートに送る。紙幣Ｍは、分離ゲートを通過することにより、ステージ９４０上に集積された束の状態から１枚ずつ搬送路９６０に繰り出されていく。搬送路９６０に繰り出された紙幣Ｍは、一時保留部ｃ’がフィードローラ９１０とゲートローラ９２０とを回転させることにより、認識部ｂに移送される。
【００２０】
以上において説明したように、一般的な紙幣処理装置９００では、利用者が紙幣処理装置９００に対して入金を行う場合には、紙幣Ｍが一時保留部ｃ’を通過し、利用者が紙幣処理装置９００から出金を行う場合には、紙幣Ｍが一時保留部ｃ’を通過しないように構成されている。このため、紙幣処理装置９００内の搬送路に分岐が多く、複雑になっていた。本実施形態では、例えば、利用者が紙幣処理装置から出金を行う場合、認識部ｂから一時保留部を経由してリジェクト集積部ｄに紙幣Ｍを移送することができる。
【００２１】
＜本発明の実施形態＞
続いて、本発明の実施形態について説明する。図３は、本発明の実施形態に係る紙幣処理装置の概略構成図を示す図である。本発明の実施形態に係る紙幣処理装置１０は、例えば、銀行の店舗内などに設置される現金自動預け払い機（ＡＴＭ：Ａｕｔｏｍａｔｅｄ  ｔｅｌｌｅｒ  ｍａｃｈｉｎｅ）に適用することが可能である。しかしながら、本発明の実施形態に係る紙幣処理装置１０は、現金自動預け払い機に限定されず、両替機、販売機、精算機などといった、利用者から挿入された紙幣を収納する機能および利用者に紙幣を排出する機能を有する装置全般に対して適用することが可能である。
【００２２】
図３に示すように、本発明の実施形態に係る紙幣処理装置１０は、例えば、利用者が硬貨を挿入するための硬貨挿入口ａ１、利用者が紙幣を挿入するための紙幣挿入口ａ２などを備えるものである。紙幣挿入口ａ２は、後に説明する接客部ａの一例として機能するものである。硬貨挿入口ａ１は、紙幣処理装置１０に備えられていないこととしてもよい。また、図３に示すように、本発明の実施形態に係る紙幣処理装置１０は、例えば、利用者からの指示を受け付けるとともに各種情報の表示を行うタッチパネル式の表示装置ｇを備えるものである。しかしながら、タッチパネル式の表示装置ｇは、入力装置および表示装置の例にすぎず、紙幣処理装置１０が有する入力装置や表示装置は、特に限定されるものではない。
【００２３】
本発明の実施形態に係る紙幣処理装置においては、一時保留部が、認識部ｂから移送された紙幣を通過させてリジェクト集積部ｄに対して移送することが可能な構成を有している。かかる構成により、紙幣処理装置内の搬送路の分岐を少なくし、搬送路を簡素化することが可能となる。かかる構成としては様々なものが想定されるが、以下においては、かかる構成を有する紙幣処理装置として、まず、本発明の第１実施形態に係る紙幣処理装置について説明し、その後、本発明の第２実施形態に係る紙幣処理装置について説明する。
【００２４】
＜第１実施形態＞
続いて、本発明の第１実施形態について説明する。本発明の第１実施形態に係る紙幣処理装置は、一般的な紙幣処理装置と比較して、一時保留部の構成が主に異なるものである。したがって、ここでは、本発明の第１実施形態に係る紙幣処理装置が備える一時保留部について主に説明し、一般的な紙幣処理装置と同様の構成については同一の符号を付して説明を省略する。
［構成の説明］
図４は、本発明の第１実施形態に係る紙幣処理装置１０における一時保留部ｃ１の構成例を示す図である。図４に示すように、本発明の第１実施形態に係る紙幣処理装置１０における一時保留部ｃ１は、上記した一般的な紙幣処理装置９００における一時保留部ｃ’の構成とほぼ同じ構成を有する。しかしながら、一般的な紙幣処理装置９００は、１つの搬送路（搬送路９６０）しか有さなかったのに対し、本発明の第１実施形態に係る紙幣処理装置１０は、２つの搬送路（第１搬送路１１６および第２搬送路１１７）を有する。図４に示すように、第１搬送路１１６は、例えば、第１ガイド１２０と第２ガイド１２１とに挟まれた空間により形成され、第２搬送路１１７は、例えば、第１ガイド１２０と第３ガイド１２２とに挟まれた空間により形成される。
【００２５】
一般的な紙幣処理装置９００におけるビルストッパ９５０の代わりに設置されるストッパレバー１１５は、ステージ１１４と連動している。すなわち、通常は、図４に示すように、一時保留部ｃ１は、ステージ１１４を下方に配置するとともに、第２搬送路１１７への紙幣Ｍの移送ゲートを塞ぐようにストッパレバー１１５を配置する。
【００２６】
利用者が紙幣処理装置１０に対して入金を行う場合、一時保留部ｃ１は、認識部ｂから第１搬送路１１６を介して移送された紙幣Ｍをフィードローラ１１１とゲートローラ１１２とで挟み込み、フィードローラ１１１とゲートローラ１１２とを回転させることにより紙幣Ｍをストッパレバー１１５に向けて放出する。放出された紙幣Ｍは、ストッパレバー１１５に衝突し、ステージ１１４上に集積される。紙幣Ｍがステージ１１４上に集積されている状態は、紙幣Ｍが一時保留部ｃ１に保留されている状態に相当する。
【００２７】
図５は、本発明の第１実施形態に係る紙幣処理装置１０における一時保留部ｃ１の構成例を示す図である。利用者が計数結果を確認し、そのまま入金処理を続ける旨を示す指示が利用者により紙幣処理装置１０に入力されると、図５に示すように、一時保留部ｃ１は、ステージ１１４を上昇させてステージ１１４を上方に配置するとともに、ストッパレバー１１５を回動させて第１搬送ローラ１１８と第２搬送ローラ１１９とにより構成される移送ゲートを開けるようにストッパレバー１１５を配置する。一時保留部ｃ１は、紙幣Ｍをステージ１１４とピッカローラ１１３とで挟み込み、ピッカローラ１１３を回転させることにより紙幣Ｍをフィードローラ１１１とゲートローラ１１２とにより構成される分離ゲートに送る。紙幣Ｍは、分離ゲートを通過することにより、ステージ１１４上に集積された束の状態から１枚ずつ第１搬送路１１６に繰り出されていく。第１搬送路１１６に繰り出された紙幣Ｍは、一時保留部ｃ１がフィードローラ１１１とゲートローラ１１２とを回転させることにより、認識部ｂに移送される。
【００２８】
紙幣Ｍが一時保留部ｃ１から認識部ｂに移送され、認識部ｂにより正常であると判別された紙幣Ｍについては収納部ｅに収納され、認識部ｂにより異常であると判別された紙幣Ｍについては、リジェクト集積部ｄに収納される。
【００２９】
利用者が紙幣処理装置１０から出金を行う場合、収納部ｅに収納されている紙幣は、一時保留部ｃ１では保留されずに、認識部ｂに直接移送され、認識部ｂにより計数された後、接客部ａに移送される。認識部ｂにより計数できなかった紙幣については、リジェクト集積部ｄに収納される。このとき、例えば、認識部ｂから一時保留部ｃ１を経由してリジェクト集積部ｄに紙幣Ｍを移送することができる。すなわち、一時保留部ｃ１は、ステージ１１４を上昇させてステージ１１４を上方に配置するとともに、ストッパレバー１１５を回動させて第１搬送ローラ１１８と第２搬送ローラ１１９とにより構成される移送ゲートを開けるようにストッパレバー１１５を配置する。認識部ｂから一時保留部ｃ１を経由してリジェクト集積部ｄに紙幣Ｍを移送するときには、一時保留部ｃ１は、紙幣Ｍをステージ１１４とピッカローラ１１３とで挟み込み、ピッカローラ１１３を回転させることにより紙幣Ｍを第１搬送ローラ１１８と第２搬送ローラ１１９とにより構成される移送ゲートに送る。一時保留部ｃ１は、第１搬送ローラ１１８と第２搬送ローラ１１９とを回転させることにより第１搬送ローラ１１８と第２搬送ローラ１１９とにより構成される移送ゲートに送られた紙幣Ｍを、第２搬送路１１７を通してリジェクト集積部ｄに移送する。
【００３０】
図６は、本発明の第１実施形態に係る紙幣処理装置１０が有する制御系１５０の構成例を示す図である。図６に示すように、制御系１５０は、制御部１５１、記憶部１５２、操作入力部１５３、ローラ回転調節モータ１５４、ストッパレバー調節モータ１５５、ステージ調節モータ１５６、表示部１５７などを備えている。
【００３１】
制御部１５１は、制御系１５０を構成する他のブロックの動作を制御する機能を有するものである。制御部１５１は、例えば、利用者が操作入力部１５３に操作情報を入力するために閲覧する画面を表示部１５７に表示させる機能や、操作入力部１５３によって入力が受け付けられた操作情報に基づいて、ローラ回転調節モータ１５４、ストッパレバー調節モータ１５５、ステージ調節モータ１５６を制御する機能などを有する。
【００３２】
制御部１５１が有する機能は、例えば、図示しないＣＰＵ（Ｃｅｎｔｒａｌ  Ｐｒｏｃｅｓｓｉｎｇ  Ｕｎｉｔ）などの演算装置がこれらの機能を実現する処理手順を記述した制御プログラムを記憶したＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などの記憶部１５２から制御プログラムを読み出し、そのプログラムを解釈して実行することにより達成される。
【００３３】
操作入力部１５３は、利用者から操作情報の入力を受け付ける機能を有するものである。例えば、操作入力部１５３は、入金を行う旨を示す指示や、入金処理を続ける旨を示す指示、出金を行う旨を示す指示などの操作情報の入力を受け付けることができる。操作入力部１５３は、例えば、キーボードや、マウス、タッチパネルなどの入力装置により構成される。
【００３４】
ローラ回転調節モータ１５４は、フィードローラ１１１、ゲートローラ１１２、ピッカローラ１１３、第１搬送ローラ１１８、第２搬送ローラ１１９などといった、紙幣処理装置１０内の各種ローラを、制御部１５１から指示された回転方向や、回転を開始するタイミング、回転を終了するタイミングなどに基づいて、回転させる機能を有するものである。ストッパレバー調節モータ１５５は、ストッパレバー１１５を、制御部１５１から指示された回動方向や、回動を開始するタイミング、回動を終了するタイミングなどに基づいて、回動させる機能を有するものである。ステージ調節モータ１５６は、ステージ１１４を、制御部１５１から指示された移動方向（上昇または下降）や、移動を開始するタイミング、移動を終了するタイミングなどに基づいて、移動させる機能を有するものである。
【００３５】
［動作の説明］
本発明の第１実施形態に係る紙幣処理装置１０によれば、ステージ１１４の位置を制御することにより、一時保留部ｃ１を認識部ｂとリジェクト集積部ｄとの間において紙幣Ｍが移送される際の搬送路として使用することができる。より詳細には、図５に示したように、ステージ１１４を上方に配置している状態では、ストッパレバー１１５が退避して、ピッカローラ１１３が搬送ローラとして機能することで、第１搬送路１１６から第２搬送路１１７に向けて、一時保留部ｃ１の内部を紙幣Ｍがそのまま通過することができ、一時保留部ｃ１が紙幣Ｍの搬送路として機能する。
【００３６】
［効果の説明］
以上説明したように、本発明の第１実施形態に係る紙幣処理装置１０によれば、ストッパレバー１１５をステージ１１４と連動させることにより、一時保留部ｃ１の内部を紙幣Ｍの搬送路として使用できるようになる。これにより、一時保留部ｃ１を搬送路の一部として使用することが可能となり、例えば、利用者が紙幣処理装置１０から出金を行う場合、紙幣Ｍが一時保留部ｃ１を通過することにより、使用される搬送路の分岐を減らし、紙幣Ｍの移送に使用されるルートの簡略化、および搬送路の切替機構数の低減（搬送路の切替機構の簡略化）を図ることができる。
【００３７】
より具体的には、一時保留部ｃ１は、紙幣Ｍを集積するためのステージ１１４と、ステージ１１４と連動する所定の部材と、を備える。所定の部材の例としては、ストッパレバー１１５を使用することとしたが、所定の部材は、これに限定されるものではない。所定の部材は、例えば、ステージ１１４の上昇とともに認識部ｂから移送された紙幣Ｍをリジェクト集積部ｄに移送するために使用される第２搬送路１１７を開くように動作する。また、所定の部材は、例えば、ステージ１１４の下降とともに第２搬送路１１７を塞ぐように動作する。
【００３８】
所定の部材は、ストッパレバー１１５として構成される場合には、例えば、図２に示したように、ステージ１１４の下降とともに認識部ｂから移送された紙幣Ｍと衝突することによりステージ１１４に紙幣Ｍを集積させるように動作する。
【００３９】
＜第２実施形態＞
続いて、本発明の第２実施形態について説明する。本発明の第２実施形態に係る紙幣処理装置は、本発明の第１実施形態に係る紙幣処理装置と比較して、一時保留部の構成が主に異なるものである。したがって、ここでは、本発明の第２実施形態が備える一時保留部について主に説明し、本発明の第１実施形態に係る紙幣処理装置と同様の構成については同一の符号を付して説明を省略する。
［構成の説明］
図７は、本発明の第２実施形態に係る紙幣処理装置１０における一時保留部ｃ２の構成例を示す図である。図７に示すように、一時保留部ｃ２は、一般的な紙幣処理装置９００におけるステージ９４０の内部に搬送路が設けられた搬送ステージ２２４を備えるものである。搬送ステージ２２４には、第３搬送ローラ２１０と第４搬送ローラ２１１とが設けられている。図７に示すように、第１搬送路１１６は、例えば、第１ガイド２０１と第２ガイド１２１とに挟まれた空間により形成され、第２搬送路１１７は、例えば、第１ガイド２０１と第３ガイド２０２とに挟まれた空間により形成される。
【００４０】
利用者が紙幣処理装置１０に対して入金を行う場合、一時保留部ｃ２は、認識部ｂから第１搬送路１１６を介して移送された紙幣Ｍをフィードローラ１１１とゲートローラ１１２とで挟み込み、フィードローラ１１１とゲートローラ１１２とを回転させることにより紙幣Ｍをビルストッパ２２５に向けて放出する。放出された紙幣Ｍは、ビルストッパ２２５に衝突し、搬送ステージ２２４上に集積される。紙幣Ｍが搬送ステージ２２４上に集積されている状態は、紙幣Ｍが一時保留部ｃ２に保留されている状態に相当する。
【００４１】
利用者が計数結果を確認し、そのまま入金処理を続ける旨を示す指示が利用者により紙幣処理装置１０に入力されると、一時保留部ｃ２は、搬送ステージ２２４を上昇させて搬送ステージ２２４を上方に配置する。一時保留部ｃ２は、紙幣Ｍを搬送ステージ２２４とピッカローラ１１３とで挟み込み、ピッカローラ１１３を回転させることにより紙幣Ｍをフィードローラ１１１とゲートローラ１１２とにより構成される分離ゲートに送る。紙幣Ｍは、分離ゲートを通過することにより、搬送ステージ２２４上に集積された束の状態から１枚ずつ第１搬送路１１６に繰り出されていく。第１搬送路１１６に繰り出された紙幣Ｍは、一時保留部ｃ２がフィードローラ１１１とゲートローラ１１２とを回転させることにより、認識部ｂに移送される。
【００４２】
図８は、本発明の第２実施形態に係る紙幣処理装置１０における一時保留部ｃ２の構成例を示す図である。紙幣Ｍが一時保留部ｃ１から認識部ｂに移送され、認識部ｂにより正常であると判別された紙幣Ｍについては収納部ｅに収納され、認識部ｂにより異常であると判別された紙幣Ｍについては、リジェクト集積部ｄに収納される。
【００４３】
利用者が紙幣処理装置１０から出金を行う場合、収納部ｅに収納されている紙幣は、一時保留部ｃ２では保留されずに、認識部ｂに直接移送され、認識部ｂにより計数された後、接客部ａに移送される。認識部ｂにより計数できなかった紙幣については、リジェクト集積部ｄに収納される。このとき、例えば、認識部ｂから一時保留部ｃ２を経由してリジェクト集積部ｄに紙幣Ｍを移送することができる。すなわち、一時保留部ｃ２は、図８に示すように、搬送ステージ２２４を上昇させて搬送ステージ２２４を上方に配置する。認識部ｂから一時保留部ｃ２を経由してリジェクト集積部ｄに紙幣Ｍを移送するときには、一時保留部ｃ２は、紙幣Ｍを第３搬送ローラ２１０と第４搬送ローラ２１１とで挟み込み、第３搬送ローラ２１０と第４搬送ローラ２１１とを回転させることにより紙幣Ｍを第１搬送ローラ１１８と第２搬送ローラ１１９とにより構成される移送ゲートに送る。一時保留部ｃ２は、第１搬送ローラ１１８と第２搬送ローラ１１９とを回転させることにより第１搬送ローラ１１８と第２搬送ローラ１１９とにより構成される移送ゲートに送られた紙幣Ｍを、第２搬送路１１７を通してリジェクト集積部ｄに移送する。
【００４４】
なお、本発明の第２実施形態に係る紙幣処理装置１０が有する制御系は、図６に示した制御系１５０と同様であるが、本発明の第２実施形態に係る紙幣処理装置１０が有する制御系は、ストッパレバー調節モータ１５５を有する必要がない点において、図６に示した制御系１５０と異なる。
【００４５】
［効果の説明］
以上説明したように、本発明の第２実施形態に係る紙幣処理装置１０によれば、搬送路が設けられた搬送ステージ２２４を移動させることにより、第１搬送路１１６と第２搬送路１１７とを連結して、一時保留部ｃ２の内部を紙幣Ｍの搬送路として使用できるようになる。これにより、一時保留部ｃ２を搬送路の一部として使用することが可能となり、例えば、利用者が紙幣処理装置１０から出金を行う場合、紙幣Ｍが一時保留部ｃ２を通過することにより、使用される搬送路の分岐を減らし、紙幣Ｍの移送に使用されるルートの簡略化、および搬送路の切替機構数の低減（搬送路の切替機構の簡略化）を図ることができる。
【００４６】
より具体的には、一時保留部ｃ２は、紙幣Ｍを集積するための搬送ステージ２２４を備えている。搬送ステージ２２４は、認識部ｂから移送された紙幣Ｍをリジェクト集積部ｄに移送するために使用される第２搬送路１１７に紙幣Ｍを送り込むための搬送路を有している。
【００４７】
一時保留部ｃ２は、認識部ｂから移送された紙幣Ｍと衝突することにより搬送ステージ２２４に紙幣Ｍを集積させるビルストッパ２２５を備えている。搬送ステージ２２４は、図７に示したように、搬送ステージ２２４の下降とともに認識部ｂから移送された紙幣Ｍがビルストッパ２２５に衝突することを妨げない位置に配置される。また、搬送ステージ２２４は、図８に示したように、搬送ステージ２２４の上昇とともに認識部ｂから移送された紙幣Ｍがビルストッパ２２５に衝突することを妨げる位置に配置される。
【００４８】
図９は、本発明の第１実施形態および第２実施形態に係る紙幣処理装置１０の搬送路の模式図である。紙幣Ｍが一時保留部ｃ（一時保留部ｃ１および一時保留部ｃ２）の内部を通過できるように構成されると、搬送路の複雑化を軽減することができる。
【００４９】
［変形例］
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００５０】
例えば、本発明の第１実施形態では、一時保留部ｃ１は、フィードローラ１１１とゲートローラ１１２とが第１搬送路１１６側に設けられることとしたが、移送された紙幣Ｍをステージ１１４に集積するためのフィードローラ１１１とゲートローラ１１２とは、第２搬送路１１７側に設けられることとしてもよい。その場合には、第１搬送路１１６側に設けられるローラは、紙幣Ｍを繰り出すためのローラ（放出ローラ）として機能し、一時保留動作時は、紙幣Ｍは、第２搬送路１１７側からステージ１１４に集積され、第１搬送路１１６側から一時保留部ｃ１の外部に移送される。
【００５１】
また、本発明の第１実施形態では、一時保留部ｃ１がステージ１１４に連動する構成としてストッパレバー１１５を有することとしたが、ステージ１１４に連動する構成はストッパレバー１１５に限定されるものではない。例えば、一時保留部ｃ１は、ストッパレバー１１５の代わりに、ステージ１１４に連動して第２搬送路１１７への紙幣Ｍの移送ゲートを塞いだり開けたりすることが可能な他の構成を有することとしてもよい。
【符号の説明】
【００５２】
１０    紙幣処理装置
１１４  ステージ
１１５  ストッパレバー
１１６  第１搬送路
１１７  第２搬送路
２２４  搬送ステージ
２２５  ビルストッパ
ａ      接客部
ｂ      認識部
ｃ（ｃ１、ｃ２）  一時保留部
ｄ      リジェクト集積部
ｅ      収納部
ｇ      表示装置
Ｍ      紙幣
【図１】
0005556390.tif 000002
【図２】
0005556390.tif 000003
【図３】
0005556390.tif 000004
【図４】
0005556390.tif 000005
【図５】
0005556390.tif 000006
【図６】
0005556390.tif 000007
【図７】
0005556390.tif 000008
【図８】
0005556390.tif 000009
【図９】
0005556390.tif 000010